(57)【要約】【課題】工具を使用することなく、構成部品毎に短時間で分解することができる保温器を提供する。【解決手段】固定部材６と係止部５との間でシェード１を挟持し、ユーザが固定部材６を把持して回転させることで固定部材６をソケット４から取り外すことができ、工具を使用することなく保温器を短時間で分解することができる構成とした。その結果ユーザは保温器の洗浄を容易に行うことができ、保温器を頻繁に洗浄して衛生状態を保つことができる。【選択図】図２
2011096610.tif 000002
【特許請求の範囲】
【請求項１】
外周にねじ溝を備えた筒形のソケットと、該ソケットの一端部に装着したランプから放射された熱を対象物に集中させるシェードとを備える保温器であって、
前記ソケットの前記一端部を前記シェードの内側に配置し、前記ソケットの他端部を前記シェードの外側に配置してあり、
前記ソケットの他端部から径方向外向きに延出しており、前記シェードに係止する係止部と、
内周にねじ溝を設けた筒形をなし、前記ソケットの一端部の外周に螺合して、前記シェードと前記ソケットとを固定する固定部材と
を備えることを特徴とする保温器。
【請求項２】
前記係止部と前記シェードとの間にスペーサを設けてあることを特徴とする保温器。
【請求項３】
前記スペーサに放熱孔を設けてあることを特徴とする請求項２に記載の保温器。
【請求項４】
前記シェードに放熱孔を設けてあることを特徴とする請求項１乃至３のいずれか一つに記載の保温器。
【発明の詳細な説明】
【技術分野】
【０００１】
本発明は、冷却によって品質が低下する対象物（例えば加熱調理した食品）を保温する保温器に関する。
【背景技術】
【０００２】
調理した多数の食品を提供するか又は販売する場合には、提供前又は販売前に食材を調理し、食品を準備する必要がある。しかし調理してから提供又は販売するまでに長時間が経過すると、加熱調理した食品は冷却され、味（品質）が低下する。そのため品質を維持すべく、加熱調理した食品をヒータによって保温することが一般に行われている。
【０００３】
特許文献１には、ヒータユニットが開示されており、該ヒータユニットは、赤外線照射ランプを保持するケーシングを備えている。該ケーシングは厨房カウンターの上壁面にボルトで固定されている。ケーシングには反射ミラーがボルトで固定されており、反射ミラーにて反射した赤外線は、厨房カウンターの下方に配置されたテーブルへ向けて照射され、ヒータユニットはテーブル上の食品を保温する。
【先行技術文献】
【特許文献】
【０００４】
【特許文献１】特許第３６８４８７６号公報
【発明の概要】
【発明が解決しようとする課題】
【０００５】
ヒータユニットは厨房の近傍で使用されるため、厨房から飛散した油などがヒータユニットに付着することがある。そのためユーザは定期的にヒータユニットを洗浄し、ヒータユニットを清潔に保つ必要がある。ヒータユニットを洗浄する場合、ユーザは、ケーシングからボルトを取り外し、更に反射ミラーからボルトを取り外して、ヒータユニットを分解する。ユーザは、分解したケーシング及び反射ユニットを洗浄道具又は洗浄機などを使用して洗浄する。
【０００６】
前記各ボルトを取り外すためには、ドライバーを使用する必要がある。またケーシングを天井から取り外す場合、赤外線照射ランプに電力を供給する電源コードを専用の工具を使用してケーシングから取り外さなければならず、ヒータユニットの分解には長時間を要する。
【０００７】
本発明は斯かる事情に鑑みてなされたものであり、工具を使用することなく、短時間で分解することができる保温器を提供することを目的とする。
【課題を解決するための手段】
【０００８】
本発明に係る保温器は、外周にねじ溝を備えた筒形のソケットと、該ソケットの一端部に装着したランプから放射された熱を対象物に集中させるシェードとを備える保温器であって、前記ソケットの前記一端部を前記シェードの内側に配置し、前記ソケットの他端部を前記シェードの外側に配置してあり、前記ソケットの他端部から径方向外向きに延出しており、前記シェードに係止する係止部と、内周にねじ溝を設けた筒形をなし、前記ソケットの一端部の外周に螺合して、前記シェードと前記ソケットとを固定する固定部材とを備えることを特徴とする。
【０００９】
本発明においては、固定部材とソケットの係止部との間でシェードを挟持しており、ユーザは把持した固定部材を回転させて、固定部材をソケットから取り外し、保温器を分解する。
【００１０】
本発明に係る保温器は、前記係止部と前記シェードとの間にスペーサを設けてあることを特徴とする。
【００１１】
本発明においては、スペーサによって設けられた空間にソケットに伝導したランプの熱が放出される。
【００１２】
本発明に係る保温器は、前記スペーサに放熱孔を設けてあることを特徴とする。
【００１３】
本発明においては、スペーサの内側の空間に放出された熱が放熱孔から放出される。
【００１４】
本発明に係る保温器は、前記シェードに放熱孔を設けてあることを特徴とする。
【００１５】
本発明においては、シェードの内側に貯留した熱がシェードの放熱孔から放出される。
【発明の効果】
【００１６】
本発明に係る保温器にあっては、固定部材と係止部との間でシェードを挟持し、シェードとソケットとを固定してあり、ユーザは工具を使用することなく、固定部材をソケットから取り外し、保温器を短時間で分解することができる。そのためユーザは保温器の洗浄を容易に行うことができ、保温器を頻繁に洗浄して衛生状態を保つことができる。
【００１７】
また本発明に係る保温器にあっては、ソケットに伝導したランプの熱が前記スペーサによって設けられた空間に放出され、ソケットが冷却される。そのため熱によるソケットの損壊を防ぐことができる。
【００１８】
また本発明に係る保温器にあっては、スペーサの内側の空間に放出された熱が放熱孔から放出されるので、ソケットとスペーサによって設けられた空間との温度差を大きくして、ソケットの冷却を促進することができる。またスペーサの過熱を防止することができる。
【００１９】
また本発明に係る保温器にあっては、シェードの内側に貯留した熱が放熱孔から放出されるので、シェードが過熱することを防止し、安全性を向上させることができる。
【図面の簡単な説明】
【００２０】
【図１】実施の形態に係る保温器の外観を略示する斜視図である。
【図２】保温器を略示する縦断面図である。
【図３】保温器を略示する分解斜視図である。
【発明を実施するための形態】
【００２１】
以下本発明を実施の形態に係る保温器を示す図面に基づいて詳述する。図１は実施の形態に係る保温器の外観を略示する斜視図、図２は保温器を略示する縦断面図である。
【００２２】
図において１は、ステンレス部材を加工してなる円錐台形のシェードである。該シェード１の頂面部には、後述するソケット４を挿入するための挿入穴１ａが設けてある。挿入穴１ａの中心は、シェード１の軸芯上に位置している。シェード１の頂面部付近の側面には、細長い楕円状の複数の放熱孔１ｂ、１ｂ、・・・、１ｂが、シェード１の周方向に並設してある。シェード１の底面部は円筒状に形成してある。
【００２３】
シェード１の頂面部に、後述するスペーサ３を収容する椀状の収容部２が設けてある。該収容部２は、ステンレス部材を加工して成形されている。収容部２の底面部分は、収容部２の開口へ向けて突出した円錐台状に形成されている（以下円錐台状に形成された底面部分を円錐台部２ａという）。円錐台部２ａは、シェード１の頂面部分に倣うように形成されている。
【００２４】
円錐台部２ａの頂面部分には、貫通穴２ｂが設けてある。該貫通穴２ｂは、シェード１の挿入穴１ａと略同寸である。貫通穴２ｂと挿入穴１ａとが同軸的に配置されるように、円錐台部２ａの内側面とシェード１の頂面部分とを突き合わせてある。前述したように、円錐台部２ａは、シェード１の頂面部分に倣うように形成されているので、シェード１の頂面部分の全体が、円錐台部２ａの内側面に当接している。
【００２５】
円錐台部２ａの上側に、ステンレス部材を加工してなるスペーサ３が設けてある。該スペーサ３は寸胴な有底円筒形をなし、スペーサ３の底面部分には、前記挿入穴１ａ及び貫通穴２ｂと略同寸の挿通穴３ａが設けてある。スペーサ３の側面には、楕円形の複数の放熱孔３ｂ、３ｂ、・・・、３ｂが周方向に並設してある。スペーサ３の直径は、円錐台部２ａにおける底部の直径と略同寸である。
【００２６】
スペーサ３は、有底円筒形の底面部分をシェード１と反対側に位置させて、前記円錐台部２ａを頂上側から包囲するように、収容部２の内側に配置してある。前記挿入穴１ａ、貫通穴２ｂ及び挿通穴３ａは、同軸的に配置されている。
【００２７】
前記挿入穴１ａ、貫通穴２ｂ及び挿通穴３ａにはソケット４が挿入してある。該ソケット４は細長い有底円筒形をなし、内側のねじ溝に赤外線ランプ１０を取付けることができるようにしてある。ソケット４の外周面には雄ねじ４ａが形成してある。なおソケット４に取り付けるランプは熱源となるランプであればよく、赤外線ランプ１０に限られない。
【００２８】
ソケット４の底部外側には円形の係止部５が固定してある。該係止部５の直径はソケット４の直径よりも大きく、係止部５はソケット４の底部から径方向外向きに延出している。係止部５の中央部に電源コード７が貫通しており、該電源コード７はソケット４に接続されている。電源コード７は固定部材によってソケット４に固定されている。
【００２９】
ソケット４は開口側の端部から、前記挿入穴１ａ、貫通穴２ｂ及び挿通穴３ａに挿入してあり、前記係止部５が、挿通穴３ａの周囲にてスペーサ３に係止している。ソケット４の開口部（ソケット４の一端部）は、シェード１の内側に位置し、ソケット４の底部（ソケット４の他端部）は、シェード１の外側に位置している。
【００３０】
ソケット４の外周面に形成した雄ねじ４ａには、内周にねじ溝を設けた円筒形の固定部材６が螺合している。該固定部材６は、ステンレス部材を加工して成形されている。固定部材６の一端部には鍔部６ａが設けてある。固定部材６は、前記鍔部６ａ側からソケット４の開口部の外周面に螺合している。該螺合によって、鍔部６ａは挿入穴１ａの周縁部分に当接し、鍔部６ａと係止部５との間で、シェード１、収容部２及びスペーサ３が挟持されている。またソケット４は、固定部材６によってシェード１の内側に固定されている。
【００３１】
ユーザは必要に応じて保温器を分解し、洗浄する。図３は保温器を略示する分解斜視図である。保温器の分解は以下の手順で行われる。ユーザは赤外線ランプ１０を把持してソケット４から取り外す。そしてユーザは固定部材６を把持して回転させ、固定部材６とソケット４の外周面との螺合を解除する。このとき鍔部６ａと係止部５とによる挟持が解除され、ユーザは、シェード１、収容部２及びスペーサ３を各別に分離することができる。
【００３２】
ソケット４は電源コード７に接続された状態にあり、ユーザはソケット４及び電源コード７を残して、固定部材６、シェード１、収容部２及びスペーサ３を各別に分離することができる。
【００３３】
実施の形態に係る保温器にあっては、固定部材６と係止部５との間でシェード１を挟持してある。ユーザは固定部材６を把持して回転させることで固定部材６をソケット４から取り外すことができ、保温器を短時間で分解することができる。その結果ユーザは保温器の洗浄を容易に行うことができ、保温器を頻繁に洗浄して衛生状態を保つことができる。
【００３４】
また実施の形態に係る保温器にあっては、ソケット４に伝導したランプの熱が前記スペーサ３によって設けられた空間に放出され、ソケット４が冷却される。そのため熱によるソケット４の損壊を防ぐことができる。
【００３５】
また実施の形態に係る保温器にあっては、スペーサ３の内側の空間に放出された熱が放熱孔３ｂから放出されるので、ソケット４とスペーサ３によって設けられた空間との温度差を大きくして、ソケット４の冷却を促進することができる。またスペーサ３が過熱することを防止することができる。
【００３６】
また実施の形態に係る保温器にあっては、シェード１の内側に貯留した熱が放熱孔１ｂから放出されるので、シェード１が過熱することを防止し、安全性を向上させることができる。
【００３７】
また実施の形態に係る保温器にあっては、電源コード７及びソケット４を取付対象（例えば天井）に取り付けた状態で、固定部材６、シェード１、収容部２及びスペーサ３をソケット４から分離させることができる。そのため保温器を分解するために、電源コード７をソケット４から取り外す必要はなく、分解時に必要なユーザの労力が削減される。
【００３８】
また固定部材６、シェード１、収容部２及びスペーサ３を各別に分離することができるので、大型の保温器であっても各部品に分解して、小型の洗浄機で洗浄することができる。また部品毎に洗浄することで、部品間の僅かな隙間に入り込んだ汚れも確実に除去することができる。
【００３９】
またシェード１の底面部は円筒状に形成してあるので、ランプの光を照射する対象物を限定し、対象物のみを保温することができる。
【００４０】
なお実施の形態に係る保温器においては、シェード１、収容部２、スペーサ３及び固定部材６はステンレス部材を加工して成形されているが、アルミニウム、鉄などの他の金属部材を加工してされたものであっても良く、また樹脂成形されたものであっても良い。
【００４１】
上述した実施の形態に係る保温器は本発明を説明する例示であり、本発明は特許請求の範囲に記載された事項の範囲内において、種々変更可能であることは言うまでもない。
【符号の説明】
【００４２】
１  シェード
３  スペーサ
４  ソケット
５  係止部
６  固定部材
１０  赤外線ランプ
１ｂ、３ｂ  放熱孔
【図１】
2011096610.tif 000003
【図２】
2011096610.tif 000004
【図３】
2011096610.tif 000005